(57)【要約】【課題】  地震時に、地割れ等により養殖池の水が流出するような場合に、魚を一時的に退避させて、養殖魚に甚大な被害が生じないようにするための魚退避用シェルターを提供すること。【解決手段】  養殖池等の水底地盤（または水底底版）８に、上部が開口した断面溝型のプレキャスト製容器１７の下部が埋め込め配置され、プレキャスト製容器１７の底部が水底地盤２または水底底版よりも低レベルとされ、プレキャスト製容器１７の上端部が水底地盤２または水底底版よりも若干高くされて配置されている。プレキャスト製容器１７の底版３には、排土用パイプ６が埋め込み配置され、排土用パイプ６の一端部は底版３の上面に開口され、排土用パイプ６の他端部は排土用ポンプ２４に接続可能にされている。【選択図】  図１
0003112873.tif 000002
【実用新案登録請求の範囲】
【請求項１】
養殖池等の水底地盤または水底底版に、上部が開口した断面溝型のプレキャスト製容器の下部が埋め込め配置されていることを特徴とする魚退避用シェルター。
【請求項２】
プレキャスト製容器の底部が水底地盤または水底底版よりも低レベルとされ、前記プレキャスト製容器の上端部が水底地盤または水底底版よりも若干高くされて配置されていることを特徴とする請求項１に記載の魚退避用シェルター。
【請求項３】
プレキャスト製容器の底版には、排土用パイプが埋め込み配置され、前記排土用パイプの一端部は前記底版の上面に開口され、排土用パイプの他端部は排土用ポンプに接続可能にされていることを特徴とする請求項１または２に記載の魚退避用シェルター。
【請求項４】
前記プレキャスト製容器は、２つ以上の複数のプレキャストブロックがＰＣ鋼材によりプレストレスが導入されて結合一体化されていることを特徴とする請求項１〜３のいずれかに記載の魚退避用シェルター。
【考案の詳細な説明】
【技術分野】
【０００１】
本考案は、養殖池等の地盤等に設置される魚退避用シェルターに関する。
【背景技術】
【０００２】
従来、鯉等の魚の養殖としては、陸上の養殖設備における養殖、棚田等の地盤を使用して棚田等に貯水して養殖池を利用した養殖も行われている。
【０００３】
地盤を利用した養殖設備では、例えば、平成１６年１０月に発生した新潟・中越地震では、新潟県内の地場産業においても甚大な被害がもたらされた。この中でも錦鯉の発祥の地であり、養殖鯉の有数の生産地である山古志村では、棚田等を利用した鯉の養殖が盛んに行われていた。しかし、地震時の養殖池の地割れ等により養殖池が崩壊し、水の流出により、多数の養殖鯉に被害が生じた。
前記のような場合に、魚の退避的な空間があるものとして、通水レベルまで石を内部空間に充填した魚巣ブロックを並設したコンクリート製水路（例えば、特許文献１参照）が知られている。
【特許文献１】登録実用新案第３１０３４９０公報
【考案の開示】
【考案が解決しようとする課題】
【０００４】
前記のように通水レベルまで石を内部空間に充填した魚巣ブロックでは、石上面レベルまで水位が低下した場合には、魚が退避できる貯水空間が殆どないので、極めて小さな魚しか退避することができず、甚大な被害が免れないという問題がある。
また、陸上における養殖設備については、各種の養殖設備が知られ、耐震設備を付設することも容易であるが、棚田等の地盤を利用した養殖設備では、地震時に養殖魚を緊急退避させる設備については、これといったものがない状況であるため、地震時等の災害時における養殖魚の緊急退避用の設備が望まれている。
【０００５】
本考案は、棚田等の地盤または水底底版を利用した養殖池が地震時に、地割れ等により池水が流出するような場合に、魚を一時的に集合退避させて、養殖魚に甚大な被害が生じないようにするための魚退避用シェルターを提供することを目的とする。
【課題を解決するための手段】
【０００６】
本第１考案は、魚退避用シェルターにおいて、養殖池等の水底地盤または水底底版に、上部が開口した断面溝型のプレキャスト製容器の下部が埋め込め配置されていることを特徴とする。
【０００７】
本第２考案は、本第１考案の魚退避用シェルターにおいて、プレキャスト製容器の底部が水底地盤または水底底版よりも低レベルとされ、前記プレキャスト製容器の上端部が水底地盤または水底底版よりも若干高くされて配置されていることを特徴とする。
【０００８】
本第３考案は、本第１又は第２考案の魚退避用シェルターにおいて、前記プレキャスト製容器の底版には、排土用パイプが埋め込み配置され、前記排土用パイプの一端部は前記底版の上面に開口され、排土用パイプの他端部は排土用ポンプに接続可能にされていることを特徴とする。
【０００９】
本第４考案は、本第１〜３のいずれかに記載の魚退避用シェルターにおいて、前記プレキャスト製容器は、２つ以上の複数のプレキャストブロックがＰＣ鋼材によりプレストレスが導入されて結合一体化されていることを特徴とする。
【考案の効果】
【００１０】
本第１考案の魚退避用シェルターによると、棚田等の地盤または水底底版を利用した養殖池が地震時に、地割れ等により池水が流出し、魚退避用シェルターの上部レベルまで水位が低下するような場合に、水位の低下に伴って、魚を自動的に低レベル位置の魚退避用シェルター内に退避させて、養殖魚に甚大な被害が生じないようにすることができる。
【００１１】
また、本考案の魚退避用シェルターはプレキャスト製であるので、予め陸上において安価に魚退避用シェルターを製造することができ、そのように製造された魚退避用シェルターを新設または既設の養魚設備に設置することができる。
【００１２】
また、本第２考案のように、キャスト製容器の底部が水底地盤または水底底版よりも低レベルとされ、前記プレキャスト製容器の上端部が水底地盤または水底底版よりも若干高くされて配置されていると、魚退避用シェルター内に魚退避用シェルター周囲の土砂が侵入するのを少なくすることができ、魚退避用シェルター内の水体積が減少するのを防止することができる。
【００１３】
また、本第３考案のように、プレキャスト製容器の底版には、排土用パイプが埋め込み配置され、前記排土用パイプの一端部は前記底版の上面に開口され、排土用パイプの他端部は排土用ポンプに接続可能にされていると、適宜の時期に排土用パイプに排土用ポンプを接続して、魚退避用シェルター内の土砂および塵（魚糞を含む）を排出して、魚退避用シェルター内の容積が小さくなるのを防止することができる。
【００１４】
また、本第４考案のように、プレキャスト製容器は、２つ以上の複数のプレキャストブロックがＰＣ鋼材によりプレストレスが導入されて結合一体化されていると、魚退避用シェルターを、搬送容易に小型化された複数のプレキャストブロックにより組立てることができるため、搬送および施工が容易である。
【考案を実施するための最良の形態】
【００１５】
次に本考案を図示の実施形態に基づいて詳細に説明する。
【００１６】
図１は、本考案の一実施形態の魚退避用シェルターを使用している状態を示す図、図２は、魚退避用シェルターの平面図、図３は側面図、図４は正面図、図５は災害時に魚退避用シェルター内に魚が退避集合している状態を示す図である。
【００１７】
先ず、図２〜図３を参照しながら、本考案の魚退避用シェルター１について説明する。
断面溝型のシェルター本体２は、鉄筋コンクリート製の底版３と、前面版４ａと後面版４ｂとを備えたシェルター本体２とされ、前記底版３には、前後方向に間隔をおくと共に左右方向に延長するようにＰＣ鋼材挿通のシース２３が埋め込み配置されている。
【００１８】
また、前記底版３の上面は、周側部から中央部に向って下向きに傾斜する傾斜上面５とされ、底版上面の中央部が低レベル位置となるように設定されている。また、前記底版３には、前後方向の中央部に左右方向の一端側に貫通するように排土用パイプ６が埋め込み配置されている。排土用パイプ６の一端部は、前記底版上面の中央部上面に開口６ａし、排土用パイプ６の他端部は、底版３の側端部に開口６ｂするようにされている。
【００１９】
前記底版３には、前後方向に延長するようにＰＣ鋼より線などのＰＣ鋼材７が緊張状態で埋め込み配置されて、底版３に前後方向のプレストレスが導入されている。
【００２０】
また、前記底版３および前面版４ａ並びに後面版４ｂには、上下方向に間隔をおくと共に、左右方向に延長するように複数のＰＣ鋼材挿通用シース２３が埋め込み配置されている。
【００２１】
前面版４ａ並びに後面版４ｂの上端部には、水底地盤８側から容器内に連通する通水路を兼ねた凹部２５が設けられて、魚１０が容器内に進入退避しやすいように構成されている。
【００２２】
前記シェルター本体２の左右両端部に配置される各側面版１１は、版状のプレキャストコンクリート部材とされ、前記各側面版１１には、上下方向に間隔をおくと共に前後方向に延長するようにＰＣ鋼より線などのＰＣ鋼材７ｂが緊張状態で埋め込み配置されて、各側面版１１には、前後方向のプレストレスが導入されている。
【００２３】
また、各側面版１１の下部および各側部には、前記シース２３と直列に接続する左右方向（部材厚さ方向）のＰＣ鋼材挿通用孔１２が設けられていると共に、前記ＰＣ鋼材挿通孔１２と同心に設けられたＰＣ鋼材定着用の凹部９が設けられている。また、各側面版１１の上端部の幅方向中央部には、前記凹部２５と同様な凹部２５ｂが設けられている。また、前記一方の側面版１１には、前記排土用パイプ６の他端部の開口６ｂと同心状でこれよりも大径な貫通孔６ｃが設けられ、排土用パイプ６の他端側の雄ねじ部と、後記の排土用吸引パイプ１８とを接続用雌ねじ筒体等により接続可能にされている。
前記各凹部２５，２５ｂの上面レベルを、その近辺の水底地盤８の上面レベルよりも高い状態で異なるレベルとしてもよく、このようにしてエアー給気装置等による池水の強制的な流れにより、魚退避用シェルター１に向う流れが強い側を高レベルの凹部となるように配置して、魚退避用シェルター１内に土砂が進入しずらいようにしてもよい。
【００２４】
前記シェルター本体２の側方開口部端部に前記各側面版１１の内側周縁部が当接され、一方の側面版１１の各ＰＣ鋼材挿通孔１２と、シェルター本体２の各シース２３によって形成されたＰＣ鋼材挿通孔１３と、他方の側面版１１の各ＰＣ鋼材挿通孔１２とに渡って、それぞれ結合用ＰＣ鋼材１４が挿通配置され、各側面版１１の定着用の凹部９内に支圧プレート１５が配置され、前記凹部９内に位置している結合用ＰＣ鋼材１４の端部に、定着用ナット等の定着金具１６が装着されて、結合用ＰＣ鋼材１４が緊張された状態で定着され、前記各シェルター本体２と、各側面版１１と一体に結合されて、箱形断面の養殖魚用のプレキャスト製容器１７が構成されている。
【００２５】
なお、シェルター本体２と各側面版１１との当接部には、いずれか一方または両方に適宜シール材等の止水材が設けられる。また、シェルター本体２と各側面版１１との当接部には、凹部または凸部を設けて、これらをかみ合わせて位置合わせまたは上下方向のずれ防止を図るようにしてもよい。
【００２６】
次に、図１を参照しながら前記のように構成されたプレキャスト製容器１７を養魚池１９等に設置して、魚退避用シェルター１とする場合について説明する。
【００２７】
前記の養殖魚用のプレキャスト製容器１７の下部は、養殖池等の水底地盤（または地盤上に設置された人工的な水底底版）に埋め込め配置されて魚退避用シェルター１とされ、前記プレキャスト製容器１７の底部が、水底地盤（または水底底版）８よりも低レベルとされ、前記プレキャスト製容器１７の上端部および凹部２５（２５ｂ）上面は、水底地盤（または水底底版）８よりも若干高くされて配置されて、プレキャスト製容器１７の上端部から容器内に周囲の土砂が侵入しないように構成されている。
【００２８】
プレキャスト製容器１７の埋め込み配置の排土用パイプ６には、排土用吸引パイプ１８の端部が接続され、その排土用吸引パイプ１８が水上に立ち上がるように設けられ、その排土用吸引パイプ１８の立ち上がり端部１８ｂに、排土用ポンプ２４側の配管２４ｂを適宜接続して、前記排土用ポンプ２４を駆動することにより、容器１７内底部に堆積した土砂を送水管２４ｃにより池外に排出することができる。容器内底部に堆積する土砂は、少量の時点で適宜、排土用ポンプ２４を駆動して、プレキャスト製容器１７内容積が減少しないようにしておくとよい。
【００２９】
前記のように構成された魚退避用シェルター１を備えた養魚池１９、例えば棚田等の地盤または水底底版を利用した養殖池１９が、地震時に図５に示すように、地割れ２０等により池水２１が流出し、魚退避用シェルター１の上部レベル２２以下に水位が低下するような場合に、魚１０が水位の低下に伴って低レベル位置の魚退避用シェルター１内に向って移動し、魚１０を自動的に低レベル位置の貯水されている魚退避用シェルター１内に退避させて、養殖魚に甚大な被害が生じないようにすることができる。
【００３０】
本発明を実施する場合、魚退避用シェルター１を構成するプレキャスト製容器は、図示のように、シェルター本体２と２つの側面版１１との３つのプレキャストブロックをＰＣ鋼材により結合一体化してもよく、図示を省略するが、前記容器１７を左右方向の中央部で縦方向に２分割したような形態の各プレキャストブロックをＰＣ鋼材により結合一体化した魚退避用シェルターとしてもよく、また、前記容器１７を上下方向の中央部で横方向に２分割したような形態の各プレキャストブロックをＰＣ鋼材により結合一体化した魚退避用シェルターとしてもよく、あるいは２分割以上に多分割した形態の各プレキャストブロックをＰＣ鋼材により一体化した魚退避用シェルターとしてもよい。
【００３１】
前記実施形態では、魚退避用シェルター１を養殖池の水底地盤８に埋め込み設置する形態を示したが、本考案を実施する場合、図示を省略するが、底部をコンクリート製とした人工池等の水底底版などに設置してもよい。いずれの形態でも、魚退避用シェルター１の壁部に通水孔を設けずに、魚退避用シェルター１内に水が残るようにしておく必要がある。また、魚退避用シェルター１内の底部にエアー供給装置の吐き出し端部を配設し、常時エアーを吐き出すようにしてもよい。
【００３２】
前記実施形態では、箱形断面の魚退避用シェルターを示したが、本考案を実施する場合、魚退避用シェルターの断面形態としては、円弧状断面形態でもよく、また、平面形態としては、図示の矩形形態以外に、円形、三角形あるいは多角形等各種の平面形態に適用してもよい。
【００３３】
また、本考案を実施する場合、小型の魚退避用シェルターとする場合は、組立てることなく、予め一体のプレキャスト魚退避用シェルターとしてもよいが、埋め込み配置されたＰＣ鋼材によりプレストレスが導入されている魚退避用シェルターとすると、軽量にして剛性が大きく、耐震性能のある魚退避用シェルターとすることができる。
【００３４】
本考案の魚退避用シェルターは、鯉以外の各種の魚（鮒、平目、金魚、やまめ、鱒、等）の退避用に適用してもよい。また、本考案は、レジャー用としての設備である釣堀の地盤等の底部に設置するようにしてもよい。
【図面の簡単な説明】
【００３５】
【図１】本考案の一実施形態の魚退避用シェルターを使用している状態を示す図である。
【図２】本考案の一実施形態の魚退避用シェルターの平面図である。
【図３】本考案の一実施形態の魚退避用シェルターの側面図である。
【図４】本考案の一実施形態の魚退避用シェルターの正面図である。
【図５】災害時に魚退避用シェルター内に魚が退避集合している状態を示す図である。
【符号の説明】
【００３６】
１  魚退避用シェルター
２  シェルター本体
３  底版
４ａ  前面版
４ｂ  後面版 
５  傾斜上面
６  排土用パイプ
６ａ  開口
６ｂ  開口
６ｃ  貫通孔
７  ＰＣ鋼材
７ｂ  ＰＣ鋼材
８  水底地盤（または水底底版）
９  凹部
１０  魚
１１  側面版
１２  ＰＣ鋼材挿通孔
１３  ＰＣ鋼材挿通孔
１４  結合用ＰＣ鋼材
１５  支圧プレート
１６  定着金具
１７  容器
１８  排土用吸引パイプ
１８ｂ  端部
１９  養魚池（養殖池）
２０  地割れ
２１  池水
２２  上部レベル
２３  シース
２４  排土用ポンプ
２４ｂ  配管
２４ｃ  送水管
２５  凹部
２５ｂ  凹部
【図１】
0003112873.tif 000003
【図２】
0003112873.tif 000004
【図３】
0003112873.tif 000005
【図４】
0003112873.tif 000006
【図５】
0003112873.tif 000007